(57)【要約】【課題】表示品質の低下を防ぐことができるローラブル表示装置を提供する。【解決手段】映像を表示するフレキシブル表示パネルと、前記フレキシブル表示パネルを内部で巻いた状態で保管するハウジングと、前記フレキシブル表示パネルの縁に提供されるガイド部と、を含み、前記フレキシブル表示パネルが、前記ハウジングの内部で巻かれた状態で複数の表示パネル層を形成した場合に、前記表示パネル層の各々が、前記ガイド部を介することで互いに離隔されることを特徴とするローラブル表示装置。【選択図】図１Ｄ
2016130853.tif 000002
【特許請求の範囲】
【請求項１】
映像を表示するフレキシブル表示パネルと、
前記フレキシブル表示パネルを内部で巻いた状態で保管するハウジングと、
前記フレキシブル表示パネルの縁に提供されるガイド部と、を含み、
前記フレキシブル表示パネルが、前記ハウジングの内部で巻かれて複数の表示パネル層を形成した状態において、
前記表示パネル層の各々が、前記ガイド部を介することで互いに離隔された、ローラブル表示装置。
【請求項２】
前記ガイド部は、
前記ハウジングの内部で巻かれて複数のガイド部層を形成し、
前記ガイド部層が、互いに接触する、請求項１に記載のローラブル表示装置。
【請求項３】
前記フレキシブル表示パネルの縁は、
前記フレキシブル表示パネルの下面の縁と、
前記フレキシブル表示パネルの上面の縁と、を含み、
前記ガイド部は、
前記下面の縁と重畳する下面のガイド部と、
前記上面の縁及び前記下面のガイド部と重畳する上面のガイド部と、
を含む請求項１に記載のローラブル表示装置。
【請求項４】
前記ガイド部は、
前記下面のガイド部及び前記上面のガイド部を連結し、前記フレキシブル表示パネルの側面に設けられる側面のガイド部をさらに含む請求項３に記載のローラブル表示装置。
【請求項５】
前記側面のガイド部は、
前記下面のガイド部と連結される下部側面のガイド部と、
前記上面のガイド部と連結される上部側面のガイド部と、を含み、
前記ガイド部は、
前記下面のガイド部及び前記下部側面のガイド部を含む下部のガイド部と、
前記上面のガイド部及び前記上部側面のガイド部を含む上部のガイド部と、を含む請求項４に記載のローラブル表示装置。
【請求項６】
前記下面の縁は、
第１下面の縁と、
前記第１下面の縁から離隔される第２下面の縁と、
前記第１下面の縁及び前記第２下面の縁と連結される第３下面の縁と、
前記第３下面の縁から離隔され、前記第１下面の縁及び前記第２下面の縁と連結される第４下面の縁と、を含み、
前記上面の縁は、
第１上面の縁と、
前記第１上面の縁から離隔される第２上面の縁と、
前記第１上面の縁及び前記第２上面の縁と連結される第３上面の縁と、
前記第３上面の縁から離隔され、前記第１上面の縁及び前記第２上面の縁と連結される第４上面の縁と、を含み、
前記下面のガイド部は、
前記第１下面の縁と重畳する第１下面のガイド部と、
前記第２下面の縁と重畳する第２下面のガイド部と、を含み、
前記上面のガイド部は、
前記第１上面の縁及び前記第１下面のガイド部と重畳する第１上面のガイド部と、
前記第２上面の縁及び前記第２下面のガイド部と重畳する第２上面のガイド部と、を含む請求項３に記載のローラブル表示装置。
【請求項７】
前記フレキシブル表示パネルは、
前記ハウジングの内部に配置される第１フレキシブル表示パネルと、
前記第１フレキシブル表示パネルと連結され、前記ハウジングの外部に露出される第２フレキシブル表示パネルと、を含み、
前記ガイド部は、
前記ハウジングの内部に配置され、前記第１フレキシブル表示パネルの縁に提供される第１サブガイド部と、
前記ハウジングの外部に配置され、前記第２フレキシブル表示パネルの縁に設けられる第２サブガイド部と、を含む請求項１に記載のローラブル表示装置。
【請求項８】
前記第１フレキシブル表示パネルの縁は、
前記第１フレキシブル表示パネルの下面の、下面に設けられる第１の縁と、
前記第１フレキシブル表示パネルの上面の、上面に設けられる第１の縁と、を含み、
前記第１サブガイド部は、
前記下面に設けられる第１の縁と重畳する下面に設けられる第１のガイド部と、
前記上面に設けられる第１の縁及び前記下面に設けられる第１のガイド部と重畳する上面に設けられる第１のガイド部と、を含む請求項７に記載のローラブル表示装置。
【請求項９】
前記下面に設けられる第１の縁は、
第１サブ下面の縁と、
前記第１サブ下面の縁から離隔される第２サブ下面の縁と、
前記第１サブ下面の縁及び前記第２サブ下面の縁と連結される第３サブ下面の縁と、
前記第３サブ下面の縁から離隔され、前記第１サブ下面の縁及び前記第２サブ下面の縁と連結される第４サブ下面の縁と、を含み、
前記上面に設けられる第１の縁は、
第１サブ上面の縁と、
前記第１サブ上面の縁から離隔される第２サブ上面の縁と、
前記第１サブ上面の縁及び前記第２サブ上面の縁と連結される第３サブ上面の縁と、
前記第３サブ上面の縁から離隔され、前記第１サブ上面の縁及び前記第２サブ上面の縁と連結される第４サブ上面の縁と、を含み、
前記下面に設けられる第１のガイド部は、
前記下面に設けられる第１の縁と重畳する第１サブ下面のガイド部と、
前記下面に設けられる第２の縁と重畳する第２サブ下面のガイド部と、を含み、
前記上面に設けられる第１のガイド部は、
前記上面に設けられる第１の縁及び前記第１サブ下面のガイド部と重畳する第１サブ上面のガイド部と、
前記上面に設けられる第２の縁及び前記第２サブ下面のガイド部と重畳する第２サブ上面のガイド部と、を含む請求項８に記載のローラブル表示装置。
【請求項１０】
前記第２フレキシブル表示パネルの縁は、
前記第２フレキシブル表示パネルの下面の、下面に設けられる第２の縁と、
前記第２フレキシブル表示パネルの上面の、上面に設けられる第２の縁と、を含み、
前記第２サブガイド部は、
前記下面に設けられる第２の縁と重畳する下面に設けられる第２のガイド部と、
前記上面に設けられる第２の縁及び前記下面に設けられる第２のガイド部と重畳する上面に設けられる第２のガイド部と、を含み、
前記下面に設けられる第２の縁は、
第５サブ下面の縁と、
前記第５サブ下面の縁から離隔される第６サブ下面の縁と、
前記第５サブ下面の縁及び前記第６サブ下面の縁と連結される第７サブ下面の縁と、
前記第７サブ下面の縁から離隔され、前記第５サブ下面の縁及び前記第６サブ下面の縁と連結される第８サブ下面の縁と、を含み、
前記上面に設けられる第２の縁は、
第５サブ上面の縁と、
前記第５サブ上面の縁から離隔される第６サブ上面の縁と、
前記第５サブ上面の縁及び前記第６サブ上面の縁と連結される第７サブ上面の縁と、
前記第７サブ上面の縁から離隔され、前記第５サブ上面の縁及び前記第６サブ上面の縁と連結される第８サブ上面の縁と、を含み、
前記下面に設けられる第２のガイド部は、
前記第５サブ下面の縁と重畳する第３サブ下面のガイド部と、
前記第６サブ下面の縁と重畳する第４サブ下面のガイド部と、を含み、
前記上面に設けられる第２のガイド部は、
前記第５サブ上面の縁及び前記第３サブ下面のガイド部と重畳する第３サブ上面のガイド部と、
前記第６サブ上面の縁及び前記第４サブ下面のガイド部と重畳する第４サブ上面のガイド部と、を含む請求項７に記載のローラブル表示装置。
【請求項１１】
前記ガイド部は、
前記フレキシブル表示パネルの収納方向に沿う縁に設けられた、請求項１に記載のローラブル表示装置。
【発明の詳細な説明】
【技術分野】
【０００１】
本発明は、ローラブル表示装置に関する。
【背景技術】
【０００２】
フレキシブル表示装置は、市場の要求に応じて開発が進んでいる。フレキシブル表示装置は、特定曲率を有する状態に固定された曲面表示装置（ＣＵＲＶＥＤ  ＤＩＳＰＬＡＹ  ＤＥＶＩＣＥ）、特定曲率以上に曲がるか、或いはフォールディング軸を基準に折り畳めるフォールダブル表示装置（ＦＯＬＤＡＢＬＥ  ＤＩＳＰＬＡＹ  ＤＥＶＩＣＥ）、及び特定曲率で巻かれるローラブル表示装置（ＲＯＬＬＡＢＬＥ  ＤＩＳＰＬＡＹ  ＤＥＶＩＣＥ）を含む。ローラブル表示装置は、ディスプレーの面積が大きくても、携帯性に優れているため、多くの研究が行われている。
【先行技術文献】
【特許文献】
【０００３】
【特許文献１】米国特許第８，５３１，７５８号明細書
【特許文献２】米国特許第８，７７３，４１１号明細書
【特許文献３】米国特許第８，４９３，７２６号明細書
【特許文献４】米国特許第８，４９３，７１４号明細書
【特許文献５】韓国特許第１０−１４１７１８４号公報
【発明の概要】
【発明が解決しようとする課題】
【０００４】
従来のローラブル表示装置によれば、フレキシブル表示パネルがハウジングの内部で巻かれた状態で表示パネル層を形成する時、表示パネル層の各々が互いに接触する。すると、フレキシブル表示パネルが巻かれるか、展開される時に、或いは表示パネル層の各々が擦れる時に、表示パネル層にスクラッチ等の不良が発生することがある。不良が発生した領域に配置される画素には欠陥が発生することがあり、欠陥が発生した画素によって、ローラブル表示装置に映像が鮮明に表示されない等、ローラブル表示装置の表示品質が低下する問題が生じる。
【０００５】
そこで、本発明は、上記を鑑みてなされたものであり、本発明の目的とするところは、
表示品質の低下を防ぐことが可能な、新規かつ改良されたローラブル表示装置を提供することにある。
【課題を解決するための手段】
【０００６】
上記課題を解決するために本発明のある観点によれば、映像を表示するフレキシブル表示パネルと、前記フレキシブル表示パネルを内部で巻いた状態で保管するハウジングと、前記フレキシブル表示パネルの縁に提供されるガイド部と、を含み、前記フレキシブル表示パネルが、前記ハウジングの内部で巻かれて複数の表示パネル層を形成した状態において、前記表示パネル層の各々が、前記ガイド部を介することで互いに離隔されることを特徴とする、ローラブル表示装置が提供される。
【０００７】
前記ガイド部は、前記ハウジングの内部で巻かれて複数のガイド部層を形成し、前記ガイド部層が、互いに接触するものであってもよい。
【０００８】
前記フレキシブル表示パネルの縁は、前記フレキシブル表示パネルの下面の縁と、前記フレキシブル表示パネルの上面の縁と、を含み、前記ガイド部は、前記下面の縁と重畳する下面のガイド部と、前記上面の縁及び前記下面のガイド部と重畳する上面のガイド部と、を含んでもよい。
【０００９】
前記ガイド部は、前記下面のガイド部及び前記上面のガイド部を連結し、前記フレキシブル表示パネルの側面に設けられる側面のガイド部をさらに含んでもよい。
【００１０】
前記側面のガイド部は、前記下面のガイド部と連結される下部側面のガイド部と、前記上面のガイド部と連結される上部側面のガイド部と、を含み、前記ガイド部は、前記下面のガイド部及び前記下部側面のガイド部を含む下部のガイド部と、前記上面のガイド部及び前記上部側面のガイド部を含む上部のガイド部と、を含んでもよい。
【００１１】
前記下面の縁は、第１下面の縁と、前記第１下面の縁から離隔される第２下面の縁と、前記第１下面の縁及び前記第２下面の縁と連結される第３下面の縁と、前記第３下面の縁から離隔され、前記第１下面の縁及び前記第２下面の縁と連結される第４下面の縁と、を含み、前記上面の縁は、第１上面の縁と、前記第１上面の縁から離隔される第２上面の縁と、前記第１上面の縁及び前記第２上面の縁と連結される第３上面の縁と、前記第３上面の縁から離隔され、前記第１上面の縁及び前記第２上面の縁と連結される第４上面の縁と、を含み、前記下面のガイド部は、前記第１下面の縁と重畳する第１下面のガイド部と、前記第２下面の縁と重畳する第２下面のガイド部と、を含み、前記上面のガイド部は、前記第１上面の縁及び前記第１下面のガイド部と重畳する第１上面のガイド部と、前記第２上面の縁及び前記第２下面のガイド部と重畳する第２上面のガイド部と、を含んでもよい。
【００１２】
前記フレキシブル表示パネルは、前記ハウジングの内部に配置される第１フレキシブル表示パネルと、前記第１フレキシブル表示パネルと連結され、前記ハウジングの外部に露出される第２フレキシブル表示パネルと、を含み、前記ガイド部は、前記ハウジングの内部に配置され、前記第１フレキシブル表示パネルの縁に提供される第１サブガイド部と、前記ハウジングの外部に配置され、前記第２フレキシブル表示パネルの縁に設けられる第２サブガイド部と、を含んでもよい。
【００１３】
前記第１フレキシブル表示パネルの縁は、前記第１フレキシブル表示パネルの下面の、下面に設けられる第１の縁と、前記第１フレキシブル表示パネルの上面の、上面に設けられる第１の縁と、を含み、前記第１サブガイド部は、前記下面に設けられる第１の縁と重畳する下面に設けられる第１のガイド部と、前記上面に設けられる第１の縁及び前記下面に設けられる第１のガイド部と重畳する上面に設けられる第１のガイド部と、を含んでもよい。
【００１４】
前記下面に設けられる第１の縁は、第１サブ下面の縁と、前記第１サブ下面の縁から離隔される第２サブ下面の縁と、前記第１サブ下面の縁及び前記第２サブ下面の縁と連結される第３サブ下面の縁と、前記第３サブ下面の縁から離隔され、前記第１サブ下面の縁及び前記第２サブ下面の縁と連結される第４サブ下面の縁と、を含み、前記上面に設けられる第１の縁は、第１サブ上面の縁と、前記第１サブ上面の縁から離隔される第２サブ上面の縁と、前記第１サブ上面の縁及び前記第２サブ上面の縁と連結される第３サブ上面の縁と、前記第３サブ上面の縁から離隔され、前記第１サブ上面の縁及び前記第２サブ上面の縁と連結される第４サブ上面の縁と、を含み、前記下面に設けられる第１のガイド部は、前記下面に設けられる第１の縁と重畳する第１サブ下面のガイド部と、前記下面に設けられる第２の縁と重畳する第２サブ下面のガイド部と、を含み、前記上面に設けられる第１のガイド部は、前記上面に設けられる第１の縁及び前記第１サブ下面のガイド部と重畳する第１サブ上面のガイド部と、前記上面に設けられる第２の縁及び前記第２サブ下面のガイド部と重畳する第２サブ上面のガイド部と、を含んでもよい。
【００１５】
前記第２フレキシブル表示パネルの縁は、前記第２フレキシブル表示パネルの下面の、下面に設けられる第２の縁と、前記第２フレキシブル表示パネルの上面の、上面に設けられる第２の縁と、を含み、前記第２サブガイド部は、前記下面に設けられる第２の縁と重畳する下面に設けられる第２のガイド部と、前記上面に設けられる第２の縁及び前記下面に設けられる第２のガイド部と重畳する上面に設けられる第２のガイド部と、を含み、前記下面に設けられる第２の縁は、第５サブ下面の縁と、前記第５サブ下面の縁から離隔される第６サブ下面の縁と、前記第５サブ下面の縁及び前記第６サブ下面の縁と連結される第７サブ下面の縁と、前記第７サブ下面の縁から離隔され、前記第５サブ下面の縁及び前記第６サブ下面の縁と連結される第８サブ下面の縁と、を含み、前記上面に設けられる第２の縁は、第５サブ上面の縁と、前記第５サブ上面の縁から離隔される第６サブ上面の縁と、前記第５サブ上面の縁及び前記第６サブ上面の縁と連結される第７サブ上面の縁と、前記第７サブ上面の縁から離隔され、前記第５サブ上面の縁及び前記第６サブ上面の縁と連結される第８サブ上面の縁と、を含み、前記下面に設けられる第２のガイド部は、前記第５サブ下面の縁と重畳する第３サブ下面のガイド部と、前記第６サブ下面の縁と重畳する第４サブ下面のガイド部と、を含み、前記上面に設けられる第２のガイド部は、前記第５サブ上面の縁及び前記第３サブ下面のガイド部と重畳する第３サブ上面のガイド部と、前記第６サブ上面の縁及び前記第４サブ下面のガイド部と重畳する第４サブ上面のガイド部と、を含んでもよい。
【００１６】
前記ガイド部は、前記フレキシブル表示パネルの収納方向に沿う縁に設けられてもよい。
【発明の効果】
【００１７】
以上説明したように本発明によれば、ローラブル表示装置の表示品質の低下を防ぐことができる。
【図面の簡単な説明】
【００１８】
【図１Ａ】本発明の一実施形態によるローラブル表示装置を概略的に示した斜視図である。
【図１Ｂ】本発明の一実施形態によるローラブル表示装置を概略的に示した斜視図である。
【図１Ｃ】本発明の一実施形態によるローラブル表示装置を概略的に示した斜視図である。
【図１Ｄ】本発明の一実施形態によるローラブル表示装置を概略的に示した斜視図である。
【図２Ａ】本発明の一実施形態によるローラブル表示装置に含まれるフレキシブル表示パネルを概略的に示した平面図である。
【図２Ｂ】本発明の一実施形態によるローラブル表示装置に含まれるフレキシブル表示パネルを概略的に示した平面図である。
【図２Ｃ】本発明の一実施形態によるローラブル表示装置に含まれるフレキシブル表示パネルを概略的に示した平面図である。
【図２Ｄ】本発明の一実施形態によるローラブル表示装置に含まれるフレキシブル表示パネルを概略的に示した平面図である。
【図２Ｅ】本発明の一実施形態によるローラブル表示装置に含まれるフレキシブル表示パネルを概略的に示した平面図である。
【図３Ａ】本発明の一実施形態によるローラブル表示装置に含まれるフレキシブル表示パネル及びガイド部を概略的に示した平面図である。
【図３Ｂ】図３ＡのＩＶ−ＩＶ’線に対応する概略的な断面図である。
【図３Ｃ】図３ＡのＩＶ−ＩＶ’線に対応する概略的な断面図である。
【図３Ｄ】図３ＡのＩＶ−ＩＶ’線に対応する概略的な断面図である。
【図３Ｅ】図３ＡのＩＶ−ＩＶ’線に対応する概略的な断面図である。
【図３Ｆ】図３ＡのＩＶ−ＩＶ’線に対応する概略的な断面図である。
【図３Ｇ】図３ＡのＩＶ−ＩＶ’線に対応する概略的な断面図である。
【図４Ａ】本発明の一実施形態によるローラブル表示装置に含まれるフレキシブル表示パネル及びガイド部を概略的に示した平面図である。
【図４Ｂ】図１ＡのＩ−Ｉ’線に対応する概略的な断面図である。
【図４Ｃ】図１ＡのＩＩ−ＩＩ’線に対応する概略的な断面図である。
【図５Ａ】本発明の一実施形態によるローラブル表示装置に含まれるフレキシブル表示パネル及びガイド部を概略的に示した平面図である。
【図５Ｂ】図１ＣのＩ−Ｉ’線に対応する概略的な断面図である。
【図５Ｃ】図１ＣのＩＩ−ＩＩ’線に対応する概略的な断面図である。
【図５Ｄ】図１ＣのＩ−Ｉ’線に対応する概略的な断面図である。
【図５Ｅ】図１ＣのＩＩ−ＩＩ’線に対応する概略的な断面図である。
【図６Ａ】図１ＢのＩＩＩ−ＩＩＩ’線に対応する概略的な断面図である。
【図６Ｂ】図１ＢのＩＩＩ−ＩＩＩ’線に対応する概略的な断面図である。
【図７】本発明の一実施形態によるローラブル表示装置の製造方法を概略的に示した順序図である。
【図８Ａ】本発明の一実施形態によるローラブル表示装置の製造方法の一部を順次的に示した平面図である。
【図８Ｂ】本発明の一実施形態によるローラブル表示装置の製造方法の一部を順次的に示した平面図である。
【図８Ｃ】図８ＢのＩ−Ｉ’線に対応する概略的な断面図である。
【図８Ｄ】図８ＢのＩＩ−ＩＩ’線に対応する概略的な断面図である。
【図８Ｅ】本発明の一実施形態によるローラブル表示装置の製造方法の一部を順次的に示した平面図である。
【図８Ｆ】図８ＥのＩ−Ｉ’線に対応する概略的な断面図である。
【図８Ｇ】図８ＥのＩＩ−ＩＩ’線に対応する概略的な断面図である。
【図８Ｈ】図８Ｅのｉ−ｉ’線に対応する概略的な断面図である。
【図８Ｉ】図８ＥのＩＩ−ＩＩ’線に対応する概略的な断面図である。
【図９Ａ】本発明の一実施形態によるローラブル表示装置の製造方法の一部を順次的に示した平面図である。
【図９Ｂ】本発明の一実施形態によるローラブル表示装置の製造方法の一部を順次的に示した平面図である。
【図９Ｃ】図９ＢのＩ−Ｉ’線に対応する概略的な断面図である。
【図９Ｄ】図９ＢのＩＩ−ＩＩ’線に対応する概略的な断面図である。
【図９Ｅ】本発明の一実施形態によるローラブル表示装置の製造方法の一部を順次的に示した平面図である。
【図９Ｆ】図９ＥのＩ−Ｉ’線に対応する概略的な断面図である。
【図９Ｇ】図９ＥのＩＩ−ＩＩ’線に対応する概略的な断面図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
当業者は、以下の好適な実施形態によって、本発明の目的、特徴、長所、及び思想を容易に理解できる。また、本発明は、以下で説明される実施形態に限定されず、以下で説明されていない実施形態に応用されてもよい。
【００２１】
各図面を用いた説明では、類似な参照符号を類似な構成要素に対して使用した。添付した図面において、構造物の寸法は、本発明を明確に説明するために実際より拡大して示した。第１、第２等の用語は、複数の構成要素を説明するために使用されるが、構成要素は用語によって限定されない。用語は、１つの構成要素を他の構成要素から区別する目的のみに使用される。例えば、本発明の権利範囲を逸脱しない第１構成要素を、第２構成要素と称すこともでき、同様に第２構成要素を第１構成要素と称してもよい。単数の表現は、文脈の上に明確に限定しない限り、複数の表現を含む。
【００２２】
本出願で、“含む”又は“有する”等の用語は、明細書上に記載された特徴、数字、段階、動作、構成要素、部品、又は、明細書上に記載された特徴、数字、段階、動作、構成要素、部品を組み合わせたものを指定しようとする用語であり、１つ又は複数の特徴や数字、段階、動作、構成要素、部品、又は、複数の特徴や数字、段階、動作、構成要素、部品を組み合わせたものの存在を予め排除しない。また、層、膜、領域、板等の部分が他の部分“上に”あるとする場合、他の部分の“直上に”ある場合のみでなく、層、膜、領域、板等の部分と他の部分の間に第３の物体がある場合も含む。反対に層、膜、領域、板等の部分が他の部分“下に”あるとする場合、他の部分の“直下に”ある場合のみでなく、層、膜、領域、板等の部分と他の部分の間に第３の物体がある場合も含む。以下では、本発明の一実施形態による表示装置に対して説明する。
【００２３】
図１Ａ、図１Ｂ、図１Ｃ、及び図１Ｄは、本発明の一実施形態によるローラブル表示装置を概略的に示した斜視図である。
【００２４】
図１Ａ〜図１Ｄに示すように、本発明の一実施形態によるローラブル表示装置１０は、フレキシブル表示パネル１００、ガイド部２００、及びハウジング３００を含む。フレキシブル表示パネル１００は、映像を表示する。ハウジング３００は、開口部ＯＰを有する。図１Ａ及び図１Ｃに示すように、フレキシブル表示パネル１００は、ハウジング３００の内部で巻かれた状態で保管される。図１Ｂ及び図１Ｄに示すように、フレキシブル表示パネル１００は、外力によってハウジング３００の外部へ露出される。
【００２５】
本発明の一実施形態によるローラブル表示装置１０は、グリップ部４００を含む。グリップ部４００は、省略されてもよい。グリップ部４００は、フレキシブル表示パネル１００と連結される。グリップ部４００に対しては、具体的に後述する。
【００２６】
図１Ａ〜図１Ｄに示すように、フレキシブル表示パネル１００は、柔軟性のある素材を原料とした基板が用いられることで、柔軟性がある。基板の原料である、柔軟性のある素材は、通常的に使用することであれば、特別に限定されないが、例えば、ポリカーボネート（ＰＣ）、ポリエチレンテレフタレート（ＰＥＴ）、ポリエチレン（ＰＥ）、ポリプロピレン（ＰＰ）、ポリスルホン（ＰＳＦ）、ポリメチルメタクリラート（ＰＭＭＡ）、トリアセチルセルロース（ＴＡＣ）、シクロオレフィンポリマー（ＣＯＰ）、及びシクロオレフィンコポリマー（ＣＯＣ）の中で少なくとも１つを含む。
【００２７】
フレキシブル表示パネル１００は、ハウジング３００内で、少なくとも１つのローリング軸を基準に、リール芯３１０に巻かれるか、或いは展開される。また、フレキシブル表示パネル１００は、外力によって、ハウジング３００の外部へ露出される。例えば、ハウジング３００の内部で巻かれた状態で保管されたフレキシブル表示パネル１００は、外力によって、ハウジング３００の開口部ＯＰを通過して外部へ露出される。ハウジング３００の開口部ＯＰに対しては、より具体的に後述する。
【００２８】
ハウジング３００は、フレキシブル表示パネル１００を保管する。図１Ａ〜図１Ｄでは、ハウジング３００が大略的に円筒形状を有することを例示的に図示したが、ハウジング３００は、必ずしも円筒形状に限定されることなく、ハウジング３００の内部で巻かれた状態でフレキシブル表示パネル１００を保管できれば、ハウジング３００は、他の形状を有してもよい。また、図１Ａ〜図１Ｄでは、ハウジング３００が一体型に形成されることを例示的に図示したが、ハウジング３００は、必ずしも一体型に形成されることに限定されることなく、ハウジング３００は、結合された２つ以上のサブハウジングによって形成されてもよい。
【００２９】
ハウジング３００は、ローリング軸を基準にフレキシブル表示パネル１００を巻けるリール芯（ｒｅｅｌ  ｃｏｒｅ）３１０を含む。ローリング軸は、例えば、第１方向（ＤＲ１）及び第３方向（ＤＲ３）の各々に対して垂直な第２方向（ＤＲ２）に対して平行である。リール芯３１０は、ローリング軸に対して平行に延びる円筒形状を有する。
【００３０】
ハウジング３００の内部には、フレキシブル表示パネル１００が巻かれた状態で保管される。例えば、フレキシブル表示パネル１００は、ハウジング３００に含まれるリール芯３１０と連結されて、巻かれるか、或いは展開される。図１Ａ〜図１Ｄではフレキシブル表示パネル１００が円筒形状を有するリール芯３１０に巻かれることを例として図示したが、フレキシブル表示パネル１００が円筒形状を有するリール芯３１０に巻かれることに必ずしも限定されず、リール芯３１０は、フレキシブル表示パネル１００の締結ホームを含み、フレキシブル表示パネル１００の締結ホームにフレキシブル表示パネル１００が締結されてもよい。
【００３１】
図１Ａ〜図１Ｄでは、リール芯３１０が一体型に形成されることを例として図示したが、必ずしもリール芯３１０が一体型に形成されることに限定されず、リール芯３１０は、結合された２つ以上のサブリール芯によって形成されてもよい。
【００３２】
図２Ａ、図２Ｂ、図２Ｃ、図２Ｄ、及び図２Ｅは、本発明の一実施形態によるローラブル表示装置に含まれるフレキシブル表示パネルを概略的に示した平面図である。
【００３３】
図１Ａ〜図１Ｄ及び図２Ａ〜図２Ｅに示すように、フレキシブル表示パネル１００の厚さ方向（ＤＲ３）から見る時、フレキシブル表示パネル１００は、大略的に長方形の形状を有する。但し、フレキシブル表示パネル１００は、必ずしも長方形の形状に限定されることなく、フレキシブル表示パネル１００の厚さ方向（ＤＲ３）から見た時、フレキシブル表示パネル１００は、他の形状を有してもよい。
【００３４】
フレキシブル表示パネル１００は、表示領域ＤＡ及び非表示領域ＮＤＡを含む。非表示領域ＮＤＡは、表示領域ＤＡを囲む。表示領域ＤＡは、フレキシブル表示パネル１００の厚さ方向（ＤＲ３）から見た時、大略的に長方形の形状を有するが、表示領域ＤＡは、必ずしも長方形の形状に限定されず他の形状を有してもよい。
【００３５】
表示領域ＤＡは、映像を表示する。図示しなかったが、表示領域ＤＡには映像を形成する最小単位である画素が複数個配置される。画素の各々は少なくとも１つの薄膜トランジスタを含む。
【００３６】
非表示領域ＮＤＡは、映像を表示しない。図示しなかったが、非表示領域ＮＤＡには、画素と電気的に連結されることで映像を表示する信号を提供できる駆動部が配置される。
【００３７】
駆動部は、映像信号をデータ信号に変換してフレキシブル表示パネル１００に伝送するデータドライバ及び映像信号をゲート信号に変換してフレキシブル表示パネル１００に伝送するゲートドライバを含む。但し、駆動部は、データドライバ及びゲートドライバを含むことに限定されることなく、データドライバ及びゲートドライバの中で少なくとも１つは、チップで構成されてテープキャリヤーパッケージ又は印刷回路基板に含まれてもよい。
【００３８】
図示しなかったが、フレキシブル表示パネル１００は、ベース基板及び映像表示部を含む。ベース基板は、透明な絶縁基板である。ベース基板は、通常的に使用される場合であれば、特別に限定されないが、例えば、ポリカーボネート（ＰＣ）、ポリエチレンテレフタレート（ＰＥＴ）、ポリエチレン（ＰＥ）、ポリプロピレン（ＰＰ）、ポリスルホン（ＰＳＦ）、ポリメチルメタクリラート（ＰＭＭＡ）、トリアセチルセルロース（ＴＡＣ）、シクロオレフィンポリマー（ＣＯＰ）、及びシクロオレフィンコポリマー（ＣＯＣ）の中で少なくとも１つを原料に作られる。
【００３９】
フレキシブル表示パネル１００の厚さ方向（ＤＲ３）から見た時、ベース基板は、大略的に長方形の形状を有する。但し、ベース基板は、長方形の形状に限定されることなく、フレキシブル表示パネル１００の厚さ方向（ＤＲ３）から見た時、ベース基板は、他の形状を有してもよい。
【００４０】
映像表示部は、ベース基板上に提供されることで、映像を表示する。映像表示部は、発光するか、或いは入射した光を制御する。映像表示部は、ローラブル表示装置１０に採用可能である複数の形態の表示素子を含むことができる。例えば、映像表示部は、電気泳動表示素子、エレクトロ・ウェッティング表示素子、及び有機発光表示素子の中で少なくとも１つの表示素子を含む。。
【００４１】
以下で、映像表示部に含まれる素子が、有機発光表示素子であることを一例として説明する。
【００４２】
映像表示部は、アノード電極、有機発光層、及びカソード電極を含む。アノード電極から注入された正孔とカソード電極から注入された電子とが有機発光層内で結合して、エキシトン（ｅｘｃｉｔｏｎ）が形成される。エキシトンが励起状態から基底状態に落ちる時に発生するエネルギーによって、映像表示部が発光する。
【００４３】
フレキシブル表示パネル１００は、ガイド部２００が提供される縁を含む。フレキシブル表示パネル１００は、下面１２０及び上面１３０を含む。フレキシブル表示パネル１００の下面１２０は、ガイド部２００が提供される下面の縁１２１、１２２、１２３、１２４を含む。フレキシブル表示パネル１００の上面１３０は、ガイド部２００が提供される上面の縁１３１、１３２、１３３、１３４を含む。
【００４４】
下面の縁１２１、１２２、１２３、１２４は、例えば、非表示領域ＮＤＡと重畳する。下面の縁１２１、１２２、１２３、１２４は、第１下面の縁１２１、第２下面の縁１２２、第３下面の縁１２３、及び第４下面の縁１２４を含む。第１下面の縁１２１、第２下面の縁１２２、第３下面の縁１２３、及び第４下面の縁１２４の各々は、例えば、長方形の形状を有する。
【００４５】
第１下面の縁１２１は、第１サブ下面の縁１１１及び第５サブ下面の縁１５１を含む。第２下面の縁１２２は、第１下面の縁１２１と、例えば、第２方向（ＤＲ２）に離隔される。第２下面の縁１２２は、第２サブ下面の縁１１２及び第６サブ下面の縁１５２を含む。第３下面の縁１２３は、第１下面の縁１２１及び第２下面の縁１２２の各々と連結される。第４下面の縁１２４は、第３下面の縁１２３と、例えば、第１方向（ＤＲ１）に、離隔される。第４下面の縁１２４は、第１下面の縁１２１及び第２下面の縁１２２の各々と連結される。
【００４６】
上面の縁１３１、１３２、１３３、１３４は、例えば、非表示領域ＮＤＡと重畳する。上面の縁１３１、１３２、１３３、１３４は、第１上面の縁１３１、第２上面の縁１３２、第３上面の縁１３３、及び第４上面の縁１３４を含む。第１上面の縁１３１、第２上面の縁１３２、第３上面の縁１３３、及び第４上面の縁１３４の各々は、例えば、長方形の形状を有する。
【００４７】
第１上面の縁１３１は、第１サブ上面の縁１１５及び第５サブ上面の縁１５５を含む。第２上面の縁１３２は、第２方向（ＤＲ２）に第１上面の縁１３１から離隔される。第２上面の縁１３２は、第２サブ上面の縁１１６及び第６サブ上面の縁１５６を含む。第３上面の縁１３３は、第１上面の縁１３１及び第２上面の縁１３２の各々と連結される。第４上面の縁１３４は、第１方向（ＤＲ１）に第３上面の縁１３３から離隔される。第４上面の縁１３４は、第１上面の縁１３１及び第２上面の縁１３２の各々と連結される。
【００４８】
フレキシブル表示パネル１００は、第１フレキシブル表示パネル１１０及び第２フレキシブル表示パネル１５０を含む。第１フレキシブル表示パネル１１０及び第２フレキシブル表示パネル１５０は、順次的に第１方向（ＤＲ１）に連結される。
【００４９】
第１フレキシブル表示パネル１１０は、ハウジング３００の内部に保管される。例えば、第１フレキシブル表示パネル１１０は、ハウジング３００の内部に含まれるリール芯３１０と連結され、巻かれるか、或いは展開される。
【００５０】
第１フレキシブル表示パネル１１０の縁には第１サブガイド部（図４Ｂの２２０、２５０）が提供される。第１サブガイド部（図４Ｂの２２０、２５０）は、下面に設けられる第１のガイド部（図４Ｂの２２１、２５１）及び上面に設けられる第１のガイド部（図４Ｂの２２２、２５２）を含む。下面に設けられる第１のガイド部（図４Ｂの２２１、２５１）は、第１サブ下面のガイド部（図４Ｂの２２１）及び第２サブ下面のガイド部（図４Ｂの２５１）を含む。第２サブ下面のガイド部（図４Ｂの２５１）は、第１サブ下面のガイド部（図４Ｂの２２１）に対して、例えば、第２方向（ＤＲ２）に、離隔される。上面に設けられる第１のガイド部（図４Ｂの２２２、２５２）は、下面に設けられる第１のガイド部（図４Ｂの２２１、２５１）と重畳する。上面に設けられる第１のガイド部（図４Ｂの２２２、２５２）は、第１サブ上面のガイド部（図４Ｂの２２２）及び第２サブ上面のガイド部（図４Ｂの２５２）を含む。第２サブ上面のガイド部（図４Ｂの２５２）は、第１サブ上面のガイド部（図４Ｂの２２２）に対して、例えば、第２方向（ＤＲ２）に、離隔される。
【００５１】
第１フレキシブル表示パネル１１０は、下面及び上面を含む。第１フレキシブル表示パネル１１０の下面は、下面に設けられる第１のガイド部（図４Ｂの２２１、２５１）が提供される下面に設けられる第１の縁１１１、１１２、１１３、１１４を含む。第１フレキシブル表示パネル１１０の上面は、上面に設けられる第１のガイド部（図４Ｂの２２２、２５２）が提供される上面に設けられる第１の縁１１５、１１６、１１７、１１８を含む。
【００５２】
下面に設けられる第１の縁１１１、１１２、１１３、１１４は、第１サブ下面の縁１１１、第２サブ下面の縁１１２、第３サブ下面の縁１１３、及び第４サブ下面の縁１１４を含む。第１サブ下面の縁１１１、第２サブ下面の縁１１２、第３サブ下面の縁１１３、及び第４サブ下面の縁１１４の各々は、例えば、長方形の形状を有する。
【００５３】
第１サブ下面の縁１１１は、例えば、非表示領域ＮＤＡと重畳する。第１サブ下面の縁１１１には第１サブ下面のガイド部（図４Ｂの２２１）が提供される。
【００５４】
第２サブ下面の縁１１２は、第１サブ下面の縁１１１に対して、例えば、第２方向（ＤＲ２）に、離隔される。第２サブ下面の縁１１２は、例えば、非表示領域ＮＤＡと重畳する。第２サブ下面の縁１１２には第２サブ下面のガイド部（図４Ｂの２５１）が提供される。
【００５５】
第３サブ下面の縁１１３は、第１サブ下面の縁１１１及び第２サブ下面の縁１１２の各々と連結される。第３サブ下面の縁１１３は、例えば、非表示領域ＮＤＡと重畳する。
【００５６】
第４サブ下面の縁１１４は、第３サブ下面の縁１１３に対して、例えば、第１方向（ＤＲ１）に、離隔される。第４サブ下面の縁１１４は、第１サブ下面の縁１１１及び第２サブ下面の縁１１２の各々と連結される。第４サブ下面の縁１１４は、例えば、表示領域ＤＡと重畳する。
【００５７】
上面に設けられる第１の縁１１５、１１６、１１７、１１８は、第１サブ上面の縁１１５、第２サブ上面の縁１１６、第３サブ上面の縁１１７，及び第４サブ上面の縁１１８を含む。第１サブ上面の縁１１５、第２サブ上面の縁１１６、第３サブ上面の縁１１７，及び第４サブ上面の縁１１８の各々は、例えば、長方形の形状を有する。
【００５８】
第１サブ上面の縁１１５は、例えば、非表示領域ＮＤＡと重畳する。第１サブ上面の縁１１５には第１サブ上面のガイド部（図４Ｂの２２２）が提供される。
【００５９】
第２サブ上面の縁１１６は、第１サブ上面の縁１１５に対して、例えば、第２方向（ＤＲ２）に、離隔される。第２サブ上面の縁１１６は、例えば、非表示領域ＮＤＡと重畳する。第２サブ上面の縁１１６には第２サブ上面のガイド部（図４Ｂの２５２）が提供される。
【００６０】
第３サブ上面の縁１１７は、第１サブ上面の縁１１５及び第２サブ上面の縁１１６の各々と連結される。第３サブ上面の縁１１７は、例えば、非表示領域ＮＤＡと重畳する。
【００６１】
第４サブ上面の縁１１８は、第３サブ上面の縁１１７に対して、例えば、第１方向（ＤＲ１）に、離隔される。第４サブ上面の縁１１８は、第１サブ上面の縁１１５及び第２サブ上面の縁１１６の各々と連結される。第４サブ上面の縁１１８は、例えば、表示領域ＤＡと重畳する。
【００６２】
第２フレキシブル表示パネル１５０は、ハウジング３００の外部に露出される。第２フレキシブル表示パネル１５０は、例えば、グリップ部４００と連結される。第２フレキシブル表示パネル１５０は、第１フレキシブル表示パネル１１０及びグリップ部４００の間に配置される。
【００６３】
第２フレキシブル表示パネル１５０の縁には第２サブガイド部（図４Ｃの２３０、２６０）が提供される。第２サブガイド部（図４Ｃの２３０、２６０）は、下面に設けられる第２のガイド部（図４Ｃの２３１、２６１）及び上面に設けられる第２のガイド部（図４Ｃの２３２、２６２）を含む。
【００６４】
下面に設けられる第２のガイド部（図４Ｃの２３１、２６１）は、第３サブ下面のガイド部（図４Ｃの２３１）及び第４サブ下面のガイド部（図４Ｃの２６１）を含む。第４サブ下面のガイド部（図４Ｃの２６１）は、第３サブ下面のガイド部（図４Ｃの２３１）に対して、例えば、第２方向（ＤＲ２）に、離隔される。
【００６５】
上面に設けられる第２のガイド部（図４Ｃの２３２、２６２）は、下面に設けられる第２のガイド部（図４Ｃの２３１、２６１）と重畳する。上面に設けられる第２のガイド部（図４Ｃの２３２、２６２）は、第３サブ上面のガイド部（図４Ｃの２３２）及び第４サブ上面のガイド部（図４Ｃの２６２）を含む。第４サブ上面のガイド部（図４Ｃの２６２）は、第３サブ上面のガイド部（図４Ｃの２３２）に対して、例えば、第２方向（ＤＲ２）に、離隔される。
【００６６】
第２フレキシブル表示パネル１５０は、下面及び上面を含む。第２フレキシブル表示パネル１５０の下面は、下面に設けられる第２のガイド部（図４Ｃの２３１、２６１）が提供される下面に設けられる第２の縁１５１、１５２、１５３、１５４を含む。第２フレキシブル表示パネル１５０の上面は、上面に設けられる第２のガイド部（図４Ｃの２３２、２６２）が提供される上面に設けられる第２の縁１５５、１５６、１５７、１５８を含む。
【００６７】
下面に設けられる第２の縁１５１、１５２、１５３、１５４は、第５サブ下面の縁１５１、第６サブ下面の縁１５２、第７サブ下面の縁１５３、及び第８サブ下面の縁１５４を含む。第５サブ下面の縁１５１、第６サブ下面の縁１５２、第７サブ下面の縁１５３及び第８サブ下面の縁１５４の各々は、例えば、長方形の形状を有する。
【００６８】
第５サブ下面の縁１５１は、例えば、非表示領域ＮＤＡと重畳する。第５サブ下面の縁１５１には第３サブ下面のガイド部（図４Ｃの２３１）が提供される。
【００６９】
第６サブ下面の縁１５２は、第５サブ下面の縁１５１に対して、例えば、第２方向（ＤＲ２）に、離隔される。第６サブ下面の縁１５２は、例えば、非表示領域ＮＤＡと重畳する。第６サブ下面の縁１５２には第４サブ下面のガイド部（図４Ｃの２６１）が提供される。
【００７０】
第７サブ下面の縁１５３は、第５サブ下面の縁１５１及び第６サブ下面の縁１５２の各々と連結される。第７サブ下面の縁１５３は、例えば、表示領域ＤＡと重畳する。
【００７１】
第８サブ下面の縁１５４は、第７サブ下面の縁１５３に対して、例えば、第１方向（ＤＲ１）に、離隔される。第８サブ下面の縁１５４は、第５サブ下面の縁１５１及び第６サブ下面の縁１５２の各々と連結される。第８サブ下面の縁１５４は、例えば、非表示領域ＮＤＡと重畳する。
【００７２】
上面に設けられる第２の縁１５５、１５６、１５７、１５８は、第５サブ上面の縁１５５、第６サブ上面の縁１５６、第７サブ上面の縁１５７、及び第８サブ上面の縁１５８を含む。第５サブ上面の縁１５５、第６サブ上面の縁１５６、第７サブ上面の縁１５７、及び第８サブ上面の縁１５８の各々は、例えば、長方形の形状を有する。
【００７３】
第５サブ上面の縁１５５は、例えば、非表示領域ＮＤＡと重畳する。第５サブ上面の縁１５５には第３サブ上面のガイド部（図４Ｃの２３２）が提供される。
【００７４】
第６サブ上面の縁１５６は、第５サブ上面の縁１５５に対して、例えば、第２方向（ＤＲ２）に、離隔される。第６サブ上面の縁１５６は、例えば、非表示領域ＮＤＡと重畳する。第６サブ上面の縁１５６には第４サブ上面のガイド部（図４Ｃの２６２）が提供される。
【００７５】
第７サブ上面の縁１５７は、第５サブ上面の縁１５５及び第６サブ上面の縁１５６の各々と連結される。第７サブ上面の縁１５７は、例えば、表示領域ＤＡと重畳する。
【００７６】
第８サブ上面の縁１５８は、第７サブ上面の縁１５７に対して、例えば、第１方向（ＤＲ１）に、離隔される。第８サブ上面の縁１５８は、第５サブ上面の縁１５５及び第６サブ上面の縁１５６の各々と連結される。第８サブ上面の縁１５８は、例えば、非表示領域ＮＤＡと重畳する。
【００７７】
図３Ａは、本発明の一実施形態によるローラブル表示装置に含まれるフレキシブル表示パネル及びガイド部を概略的に示した平面図である。
【００７８】
図３Ｂ、図３Ｃ、図３Ｄ、図３Ｅ、図３Ｆ、及び図３Ｇは、図３ＡのＩＶ−ＩＶ’線に対応する概略的な断面図である。
【００７９】
図１Ａ〜図１Ｄ、図２Ａ〜図２Ｅ、図３Ａをに示すように、ガイド部２００は、フレキシブル表示パネル１００の縁に提供される。ガイド部２００によって、フレキシブル表示パネル１００がハウジング３００の内部で巻かれた状態で、複数の表示パネル層を形成する時、表示パネル層の各々が互いに離隔される。ガイド部２００が、ハウジング３００の内部で巻かれることによって、ガイド部２００がハウジング３００の内部で複数のガイド部層を形成し、ガイド部層を形成するガイド部２００は、互いに接触する。
【００８０】
表示パネル層の各々が互いに離隔されれば、ガイド部２００の形状は特別に限定されない。例えば、ガイド部２００は、図３Ｂ、図３Ｃ、図３Ｄ、図３Ｅ、図３Ｆ、及び図３Ｇに示した形状を有してもよい。
【００８１】
図４Ａは、本発明の一実施形態によるローラブル表示装置に含まれるフレキシブル表示パネル及びガイド部を概略的に示した平面図である。
【００８２】
図４Ｂは、図１ＡのＩ−Ｉ’線に対応する概略的な断面図である。
【００８３】
図４Ｃは、図１ＡのＩＩ−ＩＩ’線に対応する概略的な断面図である。
【００８４】
図４Ｂではフレキシブル表示パネル１００がハウジング３００の内部で巻かれることで、３つの表示パネル層が形成されることを例として図示したが、必ずしも３つの表示パネル層が形成されることに限定されず、３つ以外の複数、或いは１つの表示パネル層が形成されてもよい。
【００８５】
図１Ａ、図４Ａ、図４Ｂ、及び図４Ｃに示すようにガイド部２００は、フレキシブル表示パネル１００の縁に提供される。ガイド部２００は、下面のガイド部２２１、２３１、２５１、２６１及び上面のガイド部２２２、２３２、２５２、２６２を含む。
【００８６】
下面のガイド部２２１、２３１、２５１、２６１は、下面の縁１２１、１２２、１２３、１２４と重畳する。上面のガイド部２２２、２３２、２５２、２６２は、上面の縁１３１、１３２、１３３、１３４及び下面のガイド部２２１、２３１、２５１、２６１と重畳する。
【００８７】
図４Ｂ及び図４Ｃでは、下面の縁１２１、１２２、１２３、１２４の一端、上面の縁１３１、１３２、１３３、１３４の一端、及びフレキシブル表示パネル１００の一端が、同一の直線上に配置されることを例として説明したが、下面の縁１２１、１２２、１２３、１２４の一端、上面の縁１３１、１３２、１３３、１３４の一端、及びフレキシブル表示パネル１００の一端の各々は、必ずしも同一の直線上に配置されなくともよい。
【００８８】
ガイド部２００は、第１ガイド部２１０及び第２ガイド部２４０を含む。第１ガイド部２１０は、第１下面の縁１２１及び第１上面の縁１３１に提供される。第２ガイド部２４０は、第２下面の縁１２２及び第２上面の縁１３２に提供される。
【００８９】
第１ガイド部２１０は、第１下面のガイド部２２１、２３１及び第１上面のガイド部２２２、２３２を含む。
【００９０】
第１下面のガイド部２２１、２３１は、第１下面の縁１２１と重畳する。第１下面のガイド部２２１、２３１は、第１サブ下面のガイド部２２１及び第３サブ下面のガイド部２３１を含む。第１サブ下面のガイド部２２１は、第１サブ下面の縁１１１と重畳する。第３サブ下面のガイド部２３１は、第１サブ下面のガイド部２２１と連結される。第３サブ下面のガイド部２３１は、第５サブ下面の縁１５１と重畳する。
【００９１】
第１上面のガイド部２２２、２３２は、第１上面の縁１３１と重畳する。第１上面のガイド部２２２、２３２は、第１サブ上面のガイド部２２２及び第３サブ上面のガイド部２３２を含む。第１サブ上面のガイド部２２２は、第１サブ上面の縁１１５及び第１サブ下面のガイド部２２１と重畳する。第３サブ上面のガイド部２３２は、第１サブ上面のガイド部２２２と連結される。第３サブ上面のガイド部２３２は、第５サブ上面の縁１５５及び第３サブ下面のガイド部２３１と重畳する。
【００９２】
第２ガイド部２４０は、第２下面のガイド部２５１、２６１及び第２上面のガイド部２５２、２６２を含む。
【００９３】
第２下面のガイド部２５１、２６１は、第２下面の縁１２２と重畳する。第２下面のガイド部２５１、２６１は、第２サブ下面のガイド部２５１及び第４サブ下面のガイド部２６１を含む。第２サブ下面のガイド部２５１は、第２サブ下面の縁１１２と重畳する。第４サブ下面のガイド部２６１は、第２サブ下面のガイド部２５１と連結される。第４サブ下面のガイド部２６１は、第６サブ下面の縁１５２と重畳する。
【００９４】
第２上面のガイド部２５２、２６２は、第２上面の縁１３２と重畳する。第２上面のガイド部２５２、２６２は、第２サブ上面のガイド部２５２及び第４サブ上面のガイド部２６２を含む。第２サブ上面のガイド部２５２は、第２サブ上面の縁１１６及び第２サブ下面のガイド部２５１と重畳する。第４サブ上面のガイド部２６２は、第２サブ上面のガイド部２５２と連結される。第４サブ上面のガイド部２６２は、第６サブ上面の縁１５６及び第４サブ下面のガイド部２６１と重畳する。
【００９５】
図５Ａは、本発明の一実施形態によるローラブル表示装置に含まれるフレキシブル表示パネル及びガイド部を概略的に示した平面図である。
【００９６】
図５Ｂは、図１ＣのＩ−Ｉ’線に対応する概略的な断面図である。
【００９７】
図５Ｃは、図１ＣのＩＩ−ＩＩ’線に対応する概略的な断面図である。
【００９８】
図５Ｄは、図１ＣのＩ−Ｉ’線に対応する概略的な断面図である。
【００９９】
図５Ｅは、図１ＣのＩＩ−ＩＩ’線に対応する概略的な断面図である。
【０１００】
図５Ｂ及び図５Ｄでは、フレキシブル表示パネル１００がハウジング３００の内部で巻かれることで、３つの表示パネル層が形成されることを例として図示したが、必ずしも３つの表示パネル層が形成されることに限定されず、３つ以外の複数、或いは１つの表示パネル層が形成されてもよい。
【０１０１】
図１Ｃ及び図５Ａ〜図５Ｅに示すように、ガイド部２００は、側面のガイド部２７０、２８０を含む。側面のガイド部２７０、２８０は、下面のガイド部２２１、２３１、２５１、２６１及び上面のガイド部２２２、２３２、２５２、２６２を連結する。側面のガイド部２７０、２８０は、フレキシブル表示パネル１００の側面に設けられる側面のガイド部２７０、２８０は、下面のガイド部２２１、２３１、２５１、２６１及び上面のガイド部２２２、２３２、２５２、２６２と一体型に形成されてもよく、別個に形成されてラミネーションされてもよい。
【０１０２】
側面のガイド部２７０、２８０は、第１側面のガイド部２７１、２７２及び第２側面のガイド部２８１、２８２を含む。
【０１０３】
第１側面のガイド部２７１、２７２は、第１下面の縁１２１と重畳する第１下面のガイド部２２１、２３１及び第１上面の縁１３１と重畳する第１上面のガイド部２２２、２３２を連結する。第１側面のガイド部２７１、２７２は、第１サブ側面のガイド部２７１及び第３サブ側面のガイド部２７２を含む。第１サブ側面のガイド部２７１は、第１サブ下面の縁１１１と重畳する第１サブ下面のガイド部２２１及び第１サブ上面の縁１１５と重畳する第１サブ上面のガイド部２２２を連結する。第３サブ側面のガイド部２７２は、第１サブ側面のガイド部２７１と連結される。第３サブ側面のガイド部２７２は、第５サブ下面の縁１５１と重畳する第３サブ下面のガイド部２３１及び第５サブ上面の縁１５５と重畳する第３サブ上面のガイド部２３２を連結する。
【０１０４】
第２側面のガイド部２８１、２８２は、第２下面の縁１２２と重畳する第２下面のガイド部２５１、２６１及び第２上面の縁１３２と重畳する第２上面のガイド部２５２、２６２を連結する。第２側面のガイド部２８１、２８２は、第２サブ側面のガイド部２８１及び第４サブ側面のガイド部２８２を含む。第２サブ側面のガイド部２８１は、第２サブ下面の縁１１２と重畳する第２サブ下面のガイド部２５１及び第２サブ上面の縁１１６と重畳する第２サブ上面のガイド部２５２を連結する。第４サブ側面のガイド部２８２は、第２サブ側面のガイド部２８１と連結される。第４サブ側面のガイド部２８２は、第６サブ下面の縁１５２と重畳する第４サブ下面のガイド部２６１及び第６サブ上面の縁１５６と重畳する第４サブ上面のガイド部２６２を連結する。
【０１０５】
図１Ｃ、図５Ａ、図５Ｄ、及び図５Ｅに示すように、ガイド部２００は、下部のガイド部２９１、２９２、２９３、２９４及び上部のガイド部２９５、２９６、２９７、２９８を含む。
【０１０６】
下部のガイド部２９１、２９２、２９３、２９４は、下面のガイド部２２１、２３１、２５１、２６１及び下部側面のガイド部２７３、２７５、２８３、２８５で構成される。下部側面のガイド部２７３、２７５、２８３、２８５は、下面のガイド部２２１、２３１、２５１、２６１と連結される。
【０１０７】
上部のガイド部２９５、２９６、２９７、２９８は、上面のガイド部２２２、２３２、２５２、２６２及び上部側面のガイド部２７４、２７６、２８４、２８６で構成される。上部側面のガイド部２７４、２７６、２８４、２８６は、上面のガイド部２２２、２３２、２５２、２６２と連結される。
【０１０８】
側面のガイド部２７０、２８０は、下部側面のガイド部２７３、２７５、２８３、２８５及び上部側面のガイド部２７４、２７６、２８４、２８６を含む。図５Ｄ及び図５Ｅでは、下面のガイド部２２１、２３１、２５１、２６１及び下部側面のガイド部２７３、２７５、２８３、２８５が一体型に形成され、上面のガイド部２２２、２３２、２５２、２６２及び上部側面のガイド部２７４、２７６、２８４、２８６が一体型に形成されることと図示した。しかし、下面のガイド部２２１、２３１、２５１、２６１及び下部側面のガイド部２７３、２７５、２８３、２８５は、別個に形成されてラミネーションされてもよく、上面のガイド部２２２、２３２、２５２、２６２及び上部側面のガイド部２７４、２７６、２８４、２８６も、やはり別個に形成されてラミネーションされてもよい。
【０１０９】
下部のガイド部２９１、２９２、２９３、２９４は、フレキシブル表示パネル１００の第１下面の縁１２１に隣接して提供される第１下部のガイド部２９１、２９３及びフレキシブル表示パネル１００の第２下面の縁１２２に隣接して提供される第２下部のガイド部２９２、２９４を含む。
【０１１０】
第１下部のガイド部２９１、２９３は、第１下面のガイド部２２１、２３１及び第１下面のガイド部２２１、２３１と連結される第１下部側面のガイド部２７３、２７５で構成される。第１下部のガイド部２９１、２９３は、第１フレキシブル表示パネル１１０の第１サブ下面の縁１１１と隣接して提供される第１サブ下部のガイド部２９１及び第２フレキシブル表示パネル１５０の第５サブ下面の縁１５１と隣接して提供される第３サブ下部のガイド部２９３を含む。第１サブ下部のガイド部２９１は、第１サブ下面のガイド部２２１及び第１サブ下面のガイド部２２１と連結される第１サブ下部側面のガイド部２７３で構成される。第３サブ下部のガイド部２９３は、第３サブ下面のガイド部２３１及び第３サブ下面のガイド部２３１と連結される第３サブ下部側面のガイド部２７５で構成される。
【０１１１】
第２下部のガイド部２９２、２９４は、第２下面のガイド部２５１、２６１及び第２下面のガイド部２５１、２６１と連結される第２下部側面のガイド部２８３、２８５で構成される。第２下部のガイド部２９２、２９４は、第１フレキシブル表示パネル１１０の第２サブ下面の縁１１２と隣接して提供される第２サブ下部のガイド部２９２及び第２フレキシブル表示パネル１５０の第６サブ下面の縁１５２と隣接して提供される第４サブ下部のガイド部２９４を含む。第２サブ下部のガイド部２９２は、第２サブ下面のガイド部２５１及び第２サブ下面のガイド部２５１と連結される第２サブ下部側面のガイド部２８３で構成される。第４サブ下部のガイド部２９４は、第４サブ下面のガイド部２６１及び第４サブ下面のガイド部２６１と連結される第４サブ下部側面のガイド部２８５で構成される。
【０１１２】
下部のガイド部２９１、２９２、２９３、２９４は、第１フレキシブル表示パネル１１０の下面に設けられる第１の縁１１１、１１２、１１３、１１４に隣接して提供される下部に設けられる第１のガイド部２９１、２９２及び第２フレキシブル表示パネル１５０の下面に設けられる第２の縁１５１、１５２、１５３、１５４に隣接して提供される下部に設けられる第２のガイド部２９３、２９４を含む。下部に設けられる第１のガイド部２９１、２９２は、第１サブ下部のガイド部２９１及び第２サブ下部のガイド部２９２を含む。下部に設けられる第２のガイド部２９３、２９４は、第３サブ下部のガイド部２９３及び第４サブ下部のガイド部２９４を含む。
【０１１３】
上部のガイド部２９５、２９６、２９７、２９８は、フレキシブル表示パネル１００の第１上面の縁１３１に隣接して提供される第１上部のガイド部２９５、２９７及びフレキシブル表示パネル１００の第２上面の縁１３２に隣接して提供される第２上部のガイド部２９６、２９８を含む。
【０１１４】
第１上部のガイド部２９５、２９７は、第１上面のガイド部２２２、２３２及び第１上面のガイド部２２２、２３２と連結される第１上部側面のガイド部２７４、２７６で構成される。第１上部のガイド部２９５、２９７は、第１フレキシブル表示パネル１１０の第１サブ上面の縁１１５と隣接して提供される第１サブ上部のガイド部２９５及び第２フレキシブル表示パネル１５０の第５サブ上面の縁１５５と隣接して提供される第３サブ上部のガイド部２９７を含む。第１サブ上部のガイド部２９５は、第１サブ上面のガイド部２２２及び第１サブ上面のガイド部２２２と連結される第１サブ上部側面のガイド部２７４で構成される。第３サブ上部のガイド部２９７は、第３サブ上面のガイド部２３２及び第３サブ上面のガイド部２３２と連結される第３サブ上部側面のガイド部２７６で構成される。
【０１１５】
第２上部のガイド部２９６、２９８は、第２上面のガイド部２５２、２６２及び第２上面のガイド部２５２、２６２と連結される第２上部側面のガイド部２８４、２８６で構成される。第２上部のガイド部２９６、２９８は、第１フレキシブル表示パネル１１０の第２サブ上面の縁１１６と隣接して提供される第２サブ上部のガイド部２９６及び第２フレキシブル表示パネル１５０の第６サブ上面の縁１５６と隣接して提供される第４サブ上部のガイド部２９８を含む。第２サブ上部のガイド部２９６は、第２サブ上面のガイド部２５２及び第２サブ上面のガイド部２５２と連結される第２サブ上部側面のガイド部２８４で構成される。第４サブ上部のガイド部２９８は、第４サブ上面のガイド部２６２及び第４サブ上面のガイド部２６２と連結される第４サブ上部側面のガイド部２８６で構成される。
【０１１６】
上部のガイド部２９５、２９６、２９７、２９８は、第１フレキシブル表示パネル１１０の上面に設けられる第１の縁１１５、１１６、１１７、１１８に隣接して提供される上部に設けられる第１のガイド部２９５、２９６及び第２フレキシブル表示パネル１５０の上面に設けられる第２の縁１５５、１５６、１５７、１５８に隣接して提供される上部に設けられる第２のガイド部２９７、２９８を含む。上部に設けられる第１のガイド部２９５、２９６は、第１サブ上部のガイド部２９５及び第２サブ上部のガイド部２９６を含む。上部に設けられる第２のガイド部２９７、２９８は、第３サブ上部のガイド部２９７及び第４サブ上部のガイド部２９８を含む。
【０１１７】
図６Ａ及び図６Ｂは、図１ＢのＩＩＩ−ＩＩＩ’線に対応する概略的な断面図である。
【０１１８】
図１Ａ〜図１Ｄ、図６Ａ及び図６Ｂに示すようにグリップ部４００は、フレキシブル表示パネル１００と連結される。グリップ部４００は、ガイド部２００とも連結される。グリップ部４００は、例えば、外力によって、フレキシブル表示パネル１００をハウジング３００の外部へ露出させる。
【０１１９】
グリップ部４００は、上部グリップ部４２０及び下部グリップ部４１０を含む。上部グリップ部４２０は、ガイド部２００の上部及びフレキシブル表示パネル１００の上部に形成され、ガイド部２００及びフレキシブル表示パネル１００の少なくとも一部と重畳する。下部グリップ部４１０は、ガイド部２００の下部及びフレキシブル表示パネル１００の下部に形成され、ガイド部２００及びフレキシブル表示パネル１００の少なくとも一部と重畳する。図６Ａ及び図６Ｂでは、フレキシブル表示パネル１００の一端、上部グリップ部４２０の一端、下部グリップ部４１０の一端が一直線上に位置することを例として図示したが、フレキシブル表示パネル１００の一端、上部グリップ部４２０の一端、下部グリップ部４１０の一端が一直線上に位置することに限定されず、フレキシブル表示パネル１００の一端、上部グリップ部４２０の一端、下部グリップ部４１０の一端は必ずしも一直線上に位置しなくてもよい。
【０１２０】
図６Ａに示すように、グリップ部４００は、側面グリップ部４３０を含む。側面グリップ部４３０は、ガイド部２００の一側面及びフレキシブル表示パネル１００の一側面へ設けられ、上部グリップ部４２０及び下部グリップ部４１０と連結される。
【０１２１】
図６Ｂに示すように、本発明の一実施形態によるローラブル表示装置１０は、固定ネジ４４０を含む。固定ネジ４４０は、上部グリップ部４２０及び下部グリップ部４１０を互いに連結することによって、上部グリップ部４２０及び下部グリップ部４１０を固定する。固定ネジ４４０は、上部グリップ部４２０の上部の貫通ホール及びフレキシブル表示パネル１００の貫通ホールを貫通し、下部グリップ部４１０の下部ホームと締結されることによって、上部グリップ部４２０、フレキシブル表示パネル１００及び下部グリップ部４１０を固定する。但し、固定ネジ４４０が、上部グリップ部４２０の上部の貫通ホール及びフレキシブル表示パネル１００の貫通ホールを貫通し、下部グリップ部４１０の下部ホームと締結されることによって、上部グリップ部４２０、フレキシブル表示パネル１００及び下部グリップ部４１０を固定することに限定されず、下部グリップ部４１０が下部の貫通ホールを含み、固定ネジ４４０が、上部の貫通ホール、フレキシブル表示パネルの貫通ホール及び下部の貫通ホールを貫通することで、上部グリップ部４２０、フレキシブル表示パネル１００、及び下部グリップ部４１０を固定してもよい。
【０１２２】
また、図６Ｂでは、固定ネジ４４０がフレキシブル表示パネル１００の貫通ホールを貫通することを例として説明したが、固定ネジ４４０がフレキシブル表示パネル１００の貫通ホールを貫通することに限定されず、固定ネジ４４０がガイド部２００の貫通ホールを貫通してもよい。
【０１２３】
図示しなかったが、本発明の一実施形態によるローラブル表示装置１０は、タッチスクリーンパネル及びウィンドウの部材を含むことができる。例えば、タッチスクリーンパネルの部材は、映像表示部上に配置され、ウィンドウの部材は、タッチスクリーンパネルの部材上に配置される。タッチスクリーンパネルの部材は、タッチイベントが発生した点を感知でき、ウィンドウの部材は、タッチスクリーンパネルの部材を衝撃等から保護できる。
【０１２４】
ガイド部を含まず、フレキシブル表示パネルのみを含むローラブル表示装置の場合、フレキシブル表示パネルがハウジングの内部で巻かれることで、表示パネル層が形成された時、表示パネル層は、互いに接触する。すると、フレキシブル表示パネルが巻かれるか、展開される時に、或いは隣接する表示パネル層の各々が擦れる時に、表示パネル層は、互いに接触して、表示パネル層にはスクラッチ等の不良が発生することがある。不良が発生した領域に配置される画素には欠陥が発生することがあり、欠陥が発生した画素によって、ローラブル表示装置に映像が鮮明に表示されない等、表示品質が低下する。
【０１２５】
本発明の一実施形態によるローラブル表示装置によれば、フレキシブル表示パネルがハウジングの内部で巻かれた状態で表示パネル層を形成する時、表示パネル層の間にガイド部が挟まれることで、表示パネル層は互いに離隔される。すると、フレキシブル表示パネルが巻かれるか、展開される時に、或いは隣接する表示パネル層の各々が擦れる時に、表示パネル層が互いに接触して、表示パネル層にスクラッチ等の不良が発生することを防止できる。以上から、本発明の一実施形態によるローラブル表示装置は、画素に不良が発生することを防止できるので、表示品質の低下を防ぐことができる。
【０１２６】
以下では、本発明の一実施形態による表示装置の製造方法に対して説明する。先に説明した本発明の一実施形態による表示装置との差異点を主に説明し、説明されなかった部分は、先に説明した本発明の一実施形態によるローラブル表示装置１０にしたがう。
【０１２７】
図７は、本発明の一実施形態によるローラブル表示装置の製造方法を概略的に示した順序図である。
【０１２８】
図１Ａ〜図１Ｄ、図２Ａ〜図２Ｅ、図３Ａ、図３Ｂ、図４Ａ〜図４Ｃ、及び図７に示すように、本発明の一実施形態によるローラブル表示装置１０の製造方法は、フレキシブル表示パネル１００を準備する段階Ｓ１００と、フレキシブル表示パネル１００の縁にガイド部２００を提供する段階Ｓ２００と、及びフレキシブル表示パネル１００をハウジング３００と連結する段階Ｓ３００と、を含む。ガイド部２００を提供する段階Ｓ２００は、フレキシブル表示パネル１００がハウジング３００の内部で巻かれた状態で、複数の表示パネル層を形成する時、表示パネル層が、互いに離隔されるように提供される。
【０１２９】
フレキシブル表示パネル１００は、ガイド部２００が提供される縁を含む。フレキシブル表示パネル１００は、下面１２０及び上面１３０を含む。フレキシブル表示パネル１００の下面１２０は、ガイド部２００が提供される下面の縁１２１、１２２、１２３、１２４を含む。フレキシブル表示パネル１００の上面１３０は、ガイド部２００が提供される上面の縁１３１、１３２、１３３、１３４を含む。
【０１３０】
下面の縁１２１、１２２、１２３、１２４は、例えば、非表示領域ＮＤＡと重畳する。下面の縁１２１、１２２、１２３、１２４は、第１下面の縁１２１、第２下面の縁１２２、第３下面の縁１２３及び第４下面の縁１２４を含む。
【０１３１】
上面の縁１３１、１３２、１３３、１３４は、例えば、非表示領域ＮＤＡと重畳する。上面の縁１３１、１３２、１３３、１３４は、第１上面の縁１３１、第２上面の縁１３２、第３上面の縁１３３、及び第４上面の縁１３４を含む。
【０１３２】
ガイド部２００を提供する段階Ｓ２００は、フレキシブル表示パネル１００の下面１２０の下面の縁１２１、１２２、１２３、１２４に下面のガイド部２２１、２３１、２５１、２６１を提供する段階及びフレキシブル表示パネル１００の上面１３０の上面の縁１３１、１３２、１３３、１３４に上面のガイド部２２２、２３２、２５２、２６２を提供する段階を含む。
【０１３３】
図８Ａ及び図８Ｂは、本発明の一実施形態によるローラブル表示装置の製造方法の一部を順次的に示した平面図である。
【０１３４】
図８Ｃは、図８ＢのＩ−Ｉ’線に対応する概略的な断面図である。
【０１３５】
図８Ｄは、図８ＢのＩＩ−ＩＩ’線に対応する概略的な断面図である。
【０１３６】
図１Ａ〜図１Ｄ、図２Ａ〜図２Ｅ、図３Ａ、図３Ｂ、図４Ａ〜図４Ｃ、図７、及び図８Ａ〜図８Ｄに示すように、フレキシブル表示パネル１００を準備する（Ｓ１００）。フレキシブル表示パネル１００は、第１フレキシブル表示パネル１１０及び第２フレキシブル表示パネル１５０を含む。第１フレキシブル表示パネル１１０及び第２フレキシブル表示パネル１５０は、順次的に第１方向（ＤＲ１）に連結される。
【０１３７】
第１フレキシブル表示パネル１１０は、ハウジング３００の内部に保管される。例えば、フレキシブル表示パネル１００は、ハウジング３００の内部に含まれるリール芯３１０と連結されることで、リール芯に巻かれる。
【０１３８】
第２フレキシブル表示パネル１５０は、ハウジング３００の外部に露出される。第２フレキシブル表示パネル１５０は、例えば、グリップ部４００と連結され、第１フレキシブル表示パネル１１０及びグリップ部４００の間に配置される。
【０１３９】
準備されたフレキシブル表示パネル１００の下面１２０に含まれる下面の縁１２１、１２２、１２３、１２４に、下面のガイド部２２１、２３１、２５１、２６１が提供される。第１フレキシブル表示パネル１１０の下面に設けられる第１の縁１１１、１１２、１１３、１１４には下面に設けられる第１のガイド部２２１、２５１が提供される。下面に設けられる第１のガイド部２２１、２５１は、第１サブ下面のガイド部２２１及び第２サブ下面のガイド部２５１を含む。第２フレキシブル表示パネル１５０の下面に設けられる第２の縁１５１、１５２、１５３、１５４には下面に設けられる第２のガイド部２３１、２６１が提供される。下面に設けられる第２のガイド部２３１、２６１は、第３サブ下面のガイド部２３１及び第４サブ下面のガイド部２６１を含む。
【０１４０】
図８Ｅは、本発明の一実施形態によるローラブル表示装置の製造方法の一部を順次的に示した平面図である。
【０１４１】
図８Ｆは、図８ＥのＩ−Ｉ’線に対応する概略的な断面図である。
【０１４２】
図８Ｇは、図８ＥのＩＩ−ＩＩ’線に対応する概略的な断面図である。
【０１４３】
図１Ａ〜図１Ｄ、図２Ａ〜図２Ｅ、図３Ａ、図３Ｂ、図４Ａ〜図４Ｃ、図７、及び図８Ｅ〜図８Ｇに示すように、フレキシブル表示パネル１００の上面１３０に含まれる上面の縁１３１、１３２、１３３、１３４に、上面のガイド部２２２、２３２、２５２、２６２が提供される。上面のガイド部２２２、２３２、２５２、２６２は、下面のガイド部２２１、２３１、２５１、２６１と重畳する。
【０１４４】
第１フレキシブル表示パネル１１０の上面に設けられる第１の縁１１５、１１６、１１７、１１８には上面に設けられる第１のガイド部２２２、２５２が提供される。上面に設けられる第１のガイド部２２２、２５２は、第１サブ上面のガイド部２２２及び第２サブ上面のガイド部２５２を含む。第２フレキシブル表示パネル１５０の上面に設けられる第２の縁１５５、１５６、１５７、１５８には上面に設けられる第２のガイド部２３２、２６２が提供される。上面に設けられる第２のガイド部２３２、２６２は、第３サブ上面のガイド部２３２及び第４サブ上面のガイド部２６２を含む。
【０１４５】
図８Ｈは、図８ＥのＩ−Ｉ’線に対応する概略的な断面図である。
【０１４６】
図８Ｉは、図８ＥのＩＩ−ＩＩ’線に対応する概略的な断面図である。
【０１４７】
図１Ａ〜図１Ｄ、図２Ａ〜図２Ｅ、図３Ａ、図３Ｂ、図５Ａ〜図５Ｃ、図７、図８Ｈ、及び図８Ｉに示すように、ガイド部２００を提供する段階Ｓ２００は、下面のガイド部２２１、２３１、２５１、２６１及び上面のガイド部２２２、２３２、２５２、２６２を連結する側面のガイド部２７０、２８０を提供する段階を含む。
【０１４８】
側面のガイド部２７０、２８０は、フレキシブル表示パネル１００の側面に提供される。側面のガイド部２７０、２８０は、下面のガイド部２２１、２３１、２５１、２６１及び上面のガイド部２２２、２３２、２５２、２６２を連結する。側面のガイド部２７０、２８０は、下面のガイド部２２１、２３１、２５１、２６１及び上面のガイド部２２２、２３２、２５２、２６２と一体型に形成されてもよく、別個に形成されてラミネーションされてもよい。
【０１４９】
側面のガイド部２７０、２８０は、第１側面のガイド部２７１、２７２及び第２側面のガイド部２８１、２８２を含む。
【０１５０】
第１側面のガイド部２７１、２７２は、第１下面の縁１２１と重畳する第１下面のガイド部２２１、２３１及び第１上面の縁１３１と重畳する第１上面のガイド部２２２、２３２を連結する。第１側面のガイド部２７１、２７２は、第１サブ側面のガイド部２７１及び第３サブ側面のガイド部２７２を含む。第１サブ側面のガイド部２７１は、第１サブ下面の縁１１１と重畳する第１サブ下面のガイド部２２１及び第１サブ上面の縁１１５と重畳する第１サブ上面のガイド部２２２を連結する。第３サブ側面のガイド部２７２は、第１サブ側面のガイド部２７１と連結される。第３サブ側面のガイド部２７２は、第５サブ下面の縁１５１と重畳する第３サブ下面のガイド部２３１及び第５サブ上面の縁１５５と重畳する第３サブ上面のガイド部２３２を連結する。
【０１５１】
第２側面のガイド部２８１、２８２は、第２下面の縁１２２と重畳する第２下面のガイド部２５１、２６１及び第２上面の縁１３２と重畳する第２上面のガイド部２５２、２６２を連結する。第２側面のガイド部２８１、２８２は、第２サブ側面のガイド部２８１及び第４サブ側面のガイド部２８２を含む。第２サブ側面のガイド部２８１は、第２サブ下面の縁１１２と重畳する第２サブ下面のガイド部２５１及び第２サブ上面の縁１１６と重畳する第２サブ上面のガイド部２５２を連結する。第４サブ側面のガイド部２８２は、第２サブ側面のガイド部２８１と連結される。第４サブ側面のガイド部２８２は、第６サブ下面の縁１５２と重畳する第４サブ下面のガイド部２６１及び第６サブ上面の縁１５６と重畳する第４サブ上面のガイド部２６２を連結する。
【０１５２】
図９Ａ及び図９Ｂは、本発明の一実施形態によるローラブル表示装置の製造方法の一部を順次的に示した平面図である。
【０１５３】
図９Ｃは、図９ＢのＩ−Ｉ’線に対応する概略的な断面図である。
【０１５４】
図９Ｄは、図９ＢのＩＩ−ＩＩ’線に対応する概略的な断面図である。
【０１５５】
図９Ｅは、本発明の一実施形態によるローラブル表示装置の製造方法の一部を順次的に示した平面図である。
【０１５６】
図９Ｆは、図９ＥのＩ−Ｉ’線に対応する概略的な断面図である。
【０１５７】
図９Ｇは、図９ＥのＩＩ−ＩＩ’線に対応する概略的な断面図である。
【０１５８】
図１Ａ〜図１Ｄ、図２Ａ〜図２Ｅ、図３Ａ、図３Ｂ、図５Ａ、図５Ｄ、図５Ｅ、図７及び図９Ａ〜図９Ｇに示すように、ガイド部２００を提供する段階Ｓ２００は、フレキシブル表示パネル１００の下面１２０の縁１２１、１２２、１２３、１２４及びフレキシブル表示パネル１００の側面に、下部のガイド部２９１、２９２、２９３、２９４を提供する段階を含む。さらに、ガイド部２００を提供する段階Ｓ２００は、フレキシブル表示パネル１００の上面１３０の縁１３１、１３２、１３３、１３４、フレキシブル表示パネル１００の側面及び下部のガイド部２９１、２９２、２９３、２９４上に上部のガイド部２９５、２９６、２９７、２９８を提供する段階を含む。
【０１５９】
図１Ａ〜図１Ｄ、図２Ａ〜図２Ｅ、図３Ａ、図３Ｂ、図５Ａ、図５Ｄ、図５Ｅ、図７、及び図９Ａ〜図９Ｄに示すように、フレキシブル表示パネル１００の下面１２０及び側面に下部のガイド部２９１、２９２、２９３、２９４を提供する。下部のガイド部２９１、２９２、２９３、２９４は、下面のガイド部２２１、２３１、２５１、２６１及び下部側面のガイド部２７３、２７５、２８３、２８５で構成される。下部側面のガイド部２７３、２７５、２８３、２８５は、下面のガイド部２２１、２３１、２５１、２６１と連結される。下面のガイド部２２１、２３１、２５１、２６１及び下部側面のガイド部２７３、２７５、２８３、２８５は、一体型に形成されてもよく、下面のガイド部２２１、２３１、２５１、２６１及び下部側面のガイド部２７３、２７５、２８３、２８５は、別個に形成されてラミネーションされてもよい。
【０１６０】
下部のガイド部２９１、２９２、２９３、２９４は、第１フレキシブル表示パネル１１０の下面に設けられる第１の縁１１１、１１２、１１３、１１４に隣接して提供される下部に設けられる第１のガイド部２９１、２９２及び第２フレキシブル表示パネル１５０の下面に設けられる第２の縁１５１、１５２、１５３、１５４に隣接して提供される下部に設けられる第２のガイド部２９３、２９４を含む。下部に設けられる第１のガイド部２９１、２９２は、第１サブ下部のガイド部２９１及び第２サブ下部のガイド部２９２を含む。下部に設けられる第２のガイド部２９３、２９４は、第３サブ下部のガイド部２９３及び第４サブ下部のガイド部２９４を含む。
【０１６１】
図１Ａ〜図１Ｄ、図２Ａ〜図２Ｅ、図３Ａ、図３Ｂ、図５Ａ、図５Ｄ、図５Ｅ、図７、及び図９Ｅ〜図９Ｇに示すように、フレキシブル表示パネル１００の上面１３０及び側面に上部のガイド部２９５、２９６、２９７、２９８を提供する。上部のガイド部２９５、２９６、２９７、２９８は、下部のガイド部２９１、２９２、２９３、２９４と重畳する。上部のガイド部２９５、２９６、２９７、２９８は、上面のガイド部２２２、２３２、２５２、２６２及び上部側面のガイド部２７４、２７６、２８４、２８６で構成される。上部側面のガイド部２７４、２７６、２８４、２８６は、上面のガイド部２２２、２３２、２５２、２６２と連結される。上面のガイド部２２２、２３２、２５２、２６２及び上部側面のガイド部２７４、２７６、２８４、２８６が一体型に形成されてもよく、上面のガイド部２２２、２３２、２５２、２６２及び上部側面のガイド部２７４、２７６、２８４、２８６は、別個に形成されてラミネーションされてもよい。
【０１６２】
上部のガイド部２９５、２９６、２９７、２９８は、第１フレキシブル表示パネル１１０の上面に設けられる第１の縁１１５、１１６、１１７、１１８に隣接して提供される上部に設けられる第１のガイド部２９５、２９６及び第２フレキシブル表示パネル１５０の上面に設けられる第２の縁１５５、１５６、１５７、１５８に隣接して提供される上部に設けられる第２のガイド部２９７、２９８を含む。上部に設けられる第１のガイド部２９５、２９６は、第１サブ上部のガイド部２９５及び第２サブ上部のガイド部２９６を含む。上部に設けられる第２のガイド部２９７、２９８は、第３サブ上部のガイド部２９７及び第４サブ上部のガイド部２９８を含む。
【０１６３】
図１Ａ〜図１Ｄ及び図７に示すように、本発明の一実施形態によるローラブル表示装置１０の製造方法は、フレキシブル表示パネル１００とグリップ部４００とを連結する段階を含む。
【０１６４】
本発明の一実施形態によるローラブル表示装置１０の製造方法は、フレキシブル表示パネル１００上にタッチスクリーンパネルの部材（図示せず）を提供する段階を含む。
【０１６５】
本発明の一実施形態によるローラブル表示装置１０の製造方法は、タッチスクリーンパネルの部材（図示せず）上にウィンドウの部材（図示せず）を提供する段階を含む。
【０１６６】
フレキシブル表示パネルのガイド部がない場合、フレキシブル表示パネルがハウジングの内部で巻かれた状態で、表示パネル層を形成する時、表示パネル層は、互いに接触する。すると、フレキシブル表示パネルが巻かれるか、展開される時に、或いは隣接する表示パネル層の各々が擦れる時に、表示パネル層は、互いに接触して、表示パネル層にはスクラッチ等の不良が発生することがある。不良が発生した領域に配置される画素には欠陥が発生することがあり、欠陥が発生した画素によって、ローラブル表示装置に映像が鮮明に表示されない等、表示品質が低下する。
【０１６７】
本発明の一実施形態によるローラブル表示装置の製造方法によって製造されたローラブル表示装置は、フレキシブル表示パネルがハウジングの内部で巻かれた状態で表示パネル層を形成する時、表示パネル層の各々の間にガイド部が挟まれることで、示パネル層は互いに離隔される。すると、フレキシブル表示パネルが巻かれるか、展開される時に、或いは隣接する表示パネル層の各々が擦れる時に、表示パネル層は、互いに離隔されるので、表示パネル層にスクラッチ等の不良が発生することを防止できる。以上から、本発明の一実施形態によるローラブル表示装置の製造方法によって製造されたローラブル表示装置は、画素に不良が発生することを防止できるので、表示品質の低下を防ぐことができる。
【０１６８】
以上、添付された図面を参照して本発明の実施形態を説明したが、本発明が属する技術分野で通常の知識を有する者は、本発明の技術的思想や必須的な特徴を変えることなく、他の具体的な形態に利用できることを理解できる。したがって、以上で記述した実施形態は、すべての面で例示的なことであり、限定的なことではないと理解しなければならない。
【符号の説明】
【０１６９】
１０    ローラブル表示装置
１００    フレキシブル表示パネル
１１０    第１フレキシブル表示パネル
１５０    第２フレキシブル表示パネル
２００    ガイド部
２１０    第１ガイド部
２４０    第２ガイド部
３００    ハウジング
４００    グリップ部
【図１Ａ】
2016130853.tif 000003
【図１Ｂ】
2016130853.tif 000004
【図１Ｃ】
2016130853.tif 000005
【図１Ｄ】
2016130853.tif 000006
【図２Ａ】
2016130853.tif 000007
【図２Ｂ】
2016130853.tif 000008
【図２Ｃ】
2016130853.tif 000009
【図２Ｄ】
2016130853.tif 000010
【図２Ｅ】
2016130853.tif 000011
【図３Ａ】
2016130853.tif 000012
【図３Ｂ】
2016130853.tif 000013
【図３Ｃ】
2016130853.tif 000014
【図３Ｄ】
2016130853.tif 000015
【図３Ｅ】
2016130853.tif 000016
【図３Ｆ】
2016130853.tif 000017
【図３Ｇ】
2016130853.tif 000018
【図４Ａ】
2016130853.tif 000019
【図４Ｂ】
2016130853.tif 000020
【図４Ｃ】
2016130853.tif 000021
【図５Ａ】
2016130853.tif 000022
【図５Ｂ】
2016130853.tif 000023
【図５Ｃ】
2016130853.tif 000024
【図５Ｄ】
2016130853.tif 000025
【図５Ｅ】
2016130853.tif 000026
【図６Ａ】
2016130853.tif 000027
【図６Ｂ】
2016130853.tif 000028
【図７】
2016130853.tif 000029
【図８Ａ】
2016130853.tif 000030
【図８Ｂ】
2016130853.tif 000031
【図８Ｃ】
2016130853.tif 000032
【図８Ｄ】
2016130853.tif 000033
【図８Ｅ】
2016130853.tif 000034
【図８Ｆ】
2016130853.tif 000035
【図８Ｇ】
2016130853.tif 000036
【図８Ｈ】
2016130853.tif 000037
【図８Ｉ】
2016130853.tif 000038
【図９Ａ】
2016130853.tif 000039
【図９Ｂ】
2016130853.tif 000040
【図９Ｃ】
2016130853.tif 000041
【図９Ｄ】
2016130853.tif 000042
【図９Ｅ】
2016130853.tif 000043
【図９Ｆ】
2016130853.tif 000044
【図９Ｇ】
2016130853.tif 000045